(57)【要約】【課題】  立軸ポンプを据付けた状態で据付床上からポンプ内部を点検できるポンプ内部点検装置を提供する。【解決手段】  立軸ポンプ１内部の部品を点検する点検装置において、ポンプ水槽４１に垂下している立軸ポンプ１の点検箇所近傍の側面に連通し、据付床２に設置している上部揚水管５を貫通して、据付床２上方で挿入ユニット１８と接続する。挿入ユニット１８に画像取得装置１５を挿入すると共に、圧縮機１９を連結し空気をポンプ内部に供給して残留排水を空気と置換する。点検管１６の下部に通水管３６と通水孔３７を設けているので、点検管１６内部にゴミや懸濁物質が堆積することなく、容易に画像取得装置１５を点検管１６からポンプ内部に挿入し、鮮明な画像を提供できるものである。【選択図】      図１
2010084747.tif 000002
【特許請求の範囲】
【請求項１】
立軸ポンプ（１）の羽根車（１０）近傍の側面に連通する点検管（１６、１７）を設けた立軸ポンプ（１）において、上方に開口した点検管（１６、１７）に挿入ユニット（１８）を連結し、挿入ユニット（１８）に挿入自在な画像取得装置（１５）と、挿入ユニット（１８）に接続して羽根車（１０）近傍に圧縮空気を供給する圧縮機（１９）とを備えたことを特徴とするポンプ内部点検装置。
【請求項２】
上記点検管（１６）をベルマウス（８）に連結して、下方に突出する通水管（３６）に接続したことを特徴とする請求項１に記載のポンプ内部点検装置。
【請求項３】
上記点検管（１６）の下部に通水孔（３７）を設けたことを特徴とする請求項１または２に記載のポンプ内部点検装置。
【請求項４】
上記点検管（１７）を吐出ボウル（７）に接続し、案内羽根（１１）を貫通してハブ（２７）内側まで連通する点検路（２６）に連結したことを特徴とする請求項１に記載のポンプ内部点検装置。
【発明の詳細な説明】
【技術分野】
【０００１】
本発明は、立軸ポンプの内部点検を容易に行うことができる点検装置に関する。
【背景技術】
【０００２】
一般的に、排水機場や中継ポンプ場で運転する立軸ポンプは、水槽上部の据付床上に設置される。据付方法は一床式、二床式、半二床式懸垂式等がある。ポンプを長期間使用していると、異物の吸込や経年劣化等で羽根車や軸受が磨耗してくる。性能低下や振動増大による破損の危険があるので、ポンプ内部部品の磨耗状況の確認を定期的に行う必要がある。
【０００３】
しかし、立軸ポンプ内部を点検するためには立軸ポンプを据付床から引き上げる必要があり、多大な手間と経費及び作業時間を要する。また、点検中のポンプは稼動できないという問題がある。
【０００４】
立軸ポンプを据付床に設置した状態で、ファイバースコープなどの画像取得手段をポンプケーシングの外部からポンプケーシングの内部の所定の消耗部材まで案内する導管を、ポンプケーシングの側部に設けている技術が特許文献１に開示されている。
【０００５】
また、ポンプケーシング内に残留している水を圧力空気によってケーシング外に押し出し、ケーシング内を空気の雰囲気状態にして、内部の部品をファイバースコープで観察する技術が特許文献２に開示されている。
【特許文献１】特開２００６−１６１７９０号公報
【特許文献２】特開２００８−１５１０４６号公報
【発明の開示】
【発明が解決しようとする課題】
【０００６】
特許文献１に記載されている技術では、立軸ポンプを据付けた状態で内部を点検できるものであるが、ケーシング内部にポンプ水槽と同水位の排水が残留しており、ファイバースコープを挿入しても透明度の低い排水により点検部品の確認が困難である。
【０００７】
特許文献２に記載されている技術では、ケーシング内の残留排水を空気と置換するので、ファイバースコープで各部品が容易に観察できるものであるが、ファイバースコープをベルマウスの下方からポンプ内部に案内するガイド体を、据付用ベースの上方から昇降及び回転させることに非常に手間がかかる。特に大型ポンプになると、据付用ベースからベルマウスまでの距離が長くなると共に、ガイド体の重量も増してくるので操作がより困難になる。また、ガイド体の曲がり部に排水槽中のゴミや懸濁物質が堆積して詰まり、ファイバースコープの出し入れが困難になる可能性がある。
【課題を解決するための手段】
【０００８】
本発明は、立軸ポンプの羽根車近傍の側面に連通する点検管を設けた立軸ポンプにおいて、上方に開口した点検管に挿入ユニット）を連結し、挿入ユニットに挿入自在な画像取得装置と、挿入ユニットに接続して羽根車近傍に圧縮空気を供給する圧縮機とを備えるもので、点検管を通じてポンプ内部に圧縮空気を送り、ポンプ内部の残留排水を空気と置換することによって、画像取得装置により鮮明な画像を得ることができる。挿入ユニットに空気管を連結するので、立軸ポンプの側面に特別な取付用の加工を施す必要がない。
【０００９】
上記点検管をベルマウスに連結して、下方に突出する通水管に接続し、さらに、上記点検管の下部に通水孔を設けると、通常の運転時には羽根車の吸込圧により、通水管と通水孔からポンプ水槽内の排水がベルマウス内に流入する。この流れにより点検管内に堆積するゴミや懸濁物質をポンプ内へと移送し、点検管を洗浄する。点検管を長期間使用しない場合でも、画像取得装置を点検管内の堆積物で詰まることなくポンプ内部に挿入できるものである。
【００１０】
上記点検管を吐出ボウルに接続し、案内羽根を貫通してハブ内側まで連通する点検路に連結すると、吐出ボウル側面に接続した点検管から挿入された画像取得装置によって、軸受装置を上方から観察点検できる。
【発明の効果】
【００１１】
本発明のポンプ内部点検装置は、立軸ポンプを据付けた状態でポンプ内部の残留排水を空気と置換して、据付床上からポンプ内部の部品を画像取得装置で点検するので、点検期間の短縮、点検コストの削減になると共に、水質によらない鮮明な画像で点検することができる。また、画像取得装置を案内する点検管の最下端に、通水管及び通水孔を設けてあるので、点検管内部にゴミや懸濁物質が堆積することがない。したがって、点検管を長期間使用しない場合でも、画像取得装置が点検管内の堆積物で詰まることなくポンプ内部に挿入できるものである。
【発明を実施するための最良の形態】
【００１２】
この発明に係るポンプ内部点検装置を図面に基づき詳述すると、図１は立軸ポンプの断面図であって、立軸ポンプ１は、据付床２に据付けたソールプレート３に設置する上部揚水管５と、上部揚水管５の上部に接続する吐出エルボ４と、上部揚水管５の下部に揚水管６、吐出ボウル７及びベルマウス８を水槽４１内に垂下して構成されている。
【００１３】
立軸ポンプ１内には駆動機（図示せず）に連結した主軸９の下端に羽根車１０を取り付けている。羽根車１０の外周端はベルマウス８の内面に近接させている。主軸９の下部は案内羽根１１の基部に嵌合された軸受装置１２に、上部は揚水管６に設けたリブ１４に嵌合された軸受装置１３によって回転自在に支持されている。軸受装置１２、１３は、滑り接触する水中軸受である。
【００１４】
上部揚水管５のフランジには、水槽４１内の立軸ポンプ１内部を点検するための画像取得装置１５を案内する点検管１６、１７が貫通して設けられている。点検管１６、１７の一端は据付床２の上方に開口し、挿入ユニット１８を連設する。挿入ユニット１８には圧縮機１９からの空気をポンプ内部に送るための空気管２０を接続すると共に、上部より画像取得装置１５を挿通してある。点検管１６、１７の他端はポンプ水槽４１に垂下された立軸ポンプ１の内部を点検する位置に取り付けられる。
【００１５】
画像取得装置１５の先端部には画像を取得するための走査装置２１と共に投光装置２２が設けられており、据付状態の立軸ポンプ１内部でも光量を確保することができる。走査装置２１から送信された画像は映像装置２３にて映し出される。画像取得装置１５のコード２４はコードリール２５に巻き回しても良く、コードリール２５と映像装置２３を一体化すれば、保管や運搬時の利便性がよい。画像取得装置１５はＣＣＤカメラを具備した工業用内視鏡やファイバースコープ等、仕様に合わせて適宜選択できるものである。
【００１６】
図２で示すように、点検管１６、１７は羽根車１０先端近傍のベルマウス８及び案内羽根１１の基部に嵌合された軸受装置１２を有する吐出ボウル７に接続される。点検管１６が接続されるベルマウス８の側面には羽根車１０先端に向かって開口が設けられており、点検管１６から案内された画像取得装置１５が開口から立軸ポンプ１内部に進入し、羽根車１０先端の画像を映像装置２３に送信する。
【００１７】
また、点検管１７が接続される吐出ボウル７の側面には、点検路２６が設けられており、案内羽根１１内部を経てハブ２７内側まで貫通している。点検路１７は案内羽根１１の基部に嵌合された軸受装置１２を上方から観察できるように側断面で直線状に形成されており、複雑な操作を用いることなく容易に画像取得装置１５の先端部を軸受装置１２の上方へ導くことができる。羽根車１０後段に位置している点検路２６は、流路内とは案内羽根１１のハブ２７内側でのみ連通しているので、羽根車１０で加圧された水が点検管１７から吐き出されることがない。吐出ボウル７側面に接続した点検管１７から挿入された画像取得装置１５によって、軸受装置１２を上方から撮影した画像を映像装置２３に送信される。
【００１８】
図３は挿入ユニットの構成図であって、筒体２９の下部に点検管１６、１７の一端に接続するための取付部３０が溶着されており、他端にはパッキン３１を内挿したパッキンカバー３２を螺着してある。パッキンカバー３２の上方からパッキン押え３３を螺嵌すると、パッキンカバー３２に内挿しているパッキン３１が圧着され、画像取得装置１５のコード２４を締め付けて固定及び密封の作用を奏する。筒体２９の側面には他端が圧縮機１９と連結している空気管２０の一端を連結し、圧力計３４で空気の供給量を判断する。点検管１６、１７を通じて立軸ポンプ１内部に圧縮空気を送り、ポンプ内部の残留排水を空気と置換することによって、画像取得装置１５により鮮明な画像を得ることができる。挿入ユニット１８に空気管２０を連結するので、立軸ポンプ１の側面に特別な取付用の加工を施す必要がない。密封状態でコード２４の出し入れが自在に行えるので、空気置換中でもコード２４を目的の点検箇所まで挿入することができる。また、必要に応じて立軸ポンプ１に直接空気管２０を接続して、内部に圧縮空気を供給してもよい。
【００１９】
図４は羽根車部の点検管の拡大図であって、上部揚水管５のフランジを貫通して一端は据付床２の上方に突出して開口し、他端はポンプ水槽４１に垂下された立軸ポンプ１に平行して垂下してある。羽根車１０先端近傍のベルマウス８の側近で円弧状に曲がり、その先端はベルマウス８側面に取り付けるフランジから下方に傾斜して突出している通水管３６の略中央部に上方から連通してある。
【００２０】
点検管１６の円弧状に形成された最下端の両側面には通水孔３７が開口してあり、通常の運転時には羽根車１０の吸込圧により、通水管３６と通水孔３７からポンプ水槽４１内の排水がベルマウス８内に流入する。この流れにより点検管１６内に堆積するゴミや懸濁物質をポンプ内へと移送し、点検管１６を洗浄する。点検管１６を長期間使用しない場合でも、画像取得装置１５を点検管１６内の堆積物で詰まることなく立軸ポンプ１内部に挿入できるものである。圧縮空気を立軸ポンプ１内部に供給する際に、通水管３６及び通水孔３７からの空気の漏れは少ないので、残留排水との置換作業に問題はない。
【００２１】
揚水管６に設けたリブ１４に嵌合された軸受装置１３の点検は、吐出エルボ４に設けた点検蓋３８から画像取得装置１５を内部に挿入し、手動で画像取得装置１５の先端を軸受装置１３まで案内する。
【実施例】
【００２２】
具体的な点検方法を説明する。まず、立軸ポンプ１の停止を確認し、吐出弁３９及び空気抜弁４０を全閉にする。次に、工業用内視鏡を挿入した挿入ユニット１８を点検管１６、１７に取り付ける。挿入ユニット１８を取り付けない点検管１６、１７には、ポンプ内部の空気が漏れないよう点検管１６、１７上部の開口に蓋をする。点検管１６、１７は立軸ポンプ１据付時に画像取得装置１５を点検箇所近傍に案内する位置に固定されているので、設置や移動させる必要がない。次に、圧縮機１９に連結している空気管２０を挿入ユニット１８に接続する。次に、圧縮機１９を運転し、立軸ポンプ１内部に圧縮空気を供給する。立軸ポンプ１内部に供給された空気は、上方の吐出エルボ４から溜まっていき、下部のベルマウス８よりポンプ内部の残留排水を押し出す。供給量はポンプ水槽４１水位と圧力計３４から判断する。そして、工業用内視鏡を所定の点検部位まで押し込み、各部品を点検する。立軸ポンプ１内部は空気と置換されているので、鮮明な画像で点検することができる。羽根車１０の点検時には、主軸９をハンドターニングさせると全翼を確認できる。映像装置２３に映し出される画像は、必要に応じて保存できるようにしてもよい。
【産業上の利用可能性】
【００２３】
本発明に係るポンプ内部点検装置を用いた点検は、上記のように構成してあり、立軸ポンプを据付けた状態で据付床上からポンプ内部を点検できるものである。また、ポンプ内部の残留排水を空気と置換するので、各部品の詳細状況が観察できる。大型のコラム下が長い立軸ポンプに適用すると著しい効果を奏することができ、容易なポンプの保守管理が実現できる。
【図面の簡単な説明】
【００２４】
【図１】本発明に係る立軸ポンプの内部点検装置の全体図である。
【図２】同じく、立軸ポンプの内部点検装置の部分拡大図である。
【図３】同じく、挿入ユニットの構成図である。
【図４】同じく、点検管の要部拡大図である。
【符号の説明】
【００２５】
１    立軸ポンプ
７    吐出ボウル
８    ベルマウス
１０  羽根車
１１  案内羽根
１５  画像取得装置
１６、１７  点検管
１８  挿入ユニット
１９  圧縮機
２６  点検路
２７  ハブ
３６  通水管
３７  通水孔
４１  水槽
【図１】
2010084747.tif 000003
【図２】
2010084747.tif 000004
【図３】
2010084747.tif 000005
【図４】
2010084747.tif 000006